(57)【要約】【課題】  １ｃｈヘッドおよび２ｃｈヘッドを有し、斜方蒸着の磁気テープにアジマス記録を行う磁気記録再生装置において、電磁変換のロスを軽減しつつ、２つの磁気ヘッド間の出力差を少なくする。【解決手段】  前記１ｃｈヘッドおよび２ｃｈヘッドの各ヘッドアジマス向きと前記磁気テープの長手方向とのなす角度θ1、θ2を、前記１ｃｈヘッドで記録されたトラックの再生信号と２ｃｈヘッドで記録されたトラックの再生信号の出力差が３デシベル以内となる角度に各々設定する。【選択図】  図２
2005129201.tif 000002
【特許請求の範囲】
【請求項１】
第１の磁気ヘッドおよび第２の磁気ヘッドを有し、斜方蒸着の磁気テープにアジマス記録を行うトラックピッチが５μｍ以下、最短波長記録波長が０．３μｍ以下である磁気記録再生装置において、
前記第１および第２の磁気ヘッドの各ヘッドアジマス向きと前記磁気テープの長手方向とのなす角度が、前記第１の磁気ヘッドで記録されたトラックの再生信号と第２の磁気ヘッドで記録されたトラックの再生信号の出力差が３デシベル以内となる角度に各々設定されていることを特徴とする磁気記録再生装置。
【請求項２】
前記第１および第２の磁気ヘッドの各ヘッドアジマスの角度は、前記磁気テープの長手方向に直交する直交線に対して±５〜３０°の範囲内に設定されていることを特徴とする請求項１に記載の磁気記録再生装置。
【請求項３】
前記直交線に対する第１の磁気ヘッドのヘッドアジマスの角度の絶対値と、前記直交線に対する第２の磁気ヘッドのヘッドアジマスの角度の絶対値との差は１０°以内に設定されていることを特徴とする請求項２に記載の磁気記録再生装置。
【請求項４】
前記第１の磁気ヘッド、又は第２の磁気ヘッドの何れかに薄膜式ヘッドを用いることを特徴とする請求項１に記載の磁気記録再生装置。
【請求項５】
前記第１の磁気ヘッド、又は第２の磁気ヘッドの何れかに薄膜式ヘッドを用いることを特徴とする請求項２に記載の磁気記録再生装置。
【請求項６】
前記第１の磁気ヘッド、又は第２の磁気ヘッドの何れかに薄膜式ヘッドを用いることを特徴とする請求項３に記載の磁気記録再生装置。
【発明の詳細な説明】
【技術分野】
【０００１】
本発明は、異方性のある磁気テープに、ヘリカル記録方式で記録を行う磁気記録再生装置に関する。
【背景技術】
【０００２】
磁気テープを使用する磁気記録再生装置においては、高密度記録化を達成するために、回転ドラムに取り付けられた磁気ヘッドによってテープの長手方向に対して斜めに記録するヘリカル記録方式が採用されている。
【０００３】
このヘリカル記録方式では、記録トラック密度を高めるため、隣接する記録トラック間のガードバンドを無くしているが、再生時にヘッドが隣接トラック上の信号も拾ってしまうクロストークが問題となる。
【０００４】
そこでクロストークによる再生劣化を解消するために、アジマス角（磁気ギャップの角度）が例えば＋５〜２０°、―５〜２０°というように互いに逆符号（以下、角度の符号については、基準線に対して反時計回りの場合を＋、時計回りの場合を―とする。）の角度である２個の磁気ヘッドが取り付けられた回転ヘッド（ダブルアジマスヘッド）を用いて、テープ上を前記２個のヘッドが交互に走査するように構成し、隣接するトラックどうしのアジマス角が互いに異なるように記録するアジマス記録方式が採用されている。
【０００５】
尚、本発明に関連する磁気記録媒体の一例としては、下記特許文献１に記載のものが提案されている。
【特許文献１】特開平５−３６０６１号公報
【発明の開示】
【発明が解決しようとする課題】
【０００６】
前記アジマス記録方式によれば、隣接トラックのクロストークを軽減することはできるが、斜方蒸着テープでは、テープ走行方向に電磁変換特性の最適点ピークがあり、アジマスをつけることにより、片方の磁気ヘッドでの電磁変換で大幅な変換ロスが発生してしまう。このため例えば図４に示すように２つの磁気ヘッドのＲＦ出力がアンバランスとなり、磁気記録再生システムとしてのＲＦ出力の効率はよくなかった。
【０００７】
今まで使用されてきた磁気記録再生システムの記録密度では効率はよくないものの、メディア・ヘッドの性能アップのみにて対応してきたが、記録密度があがり、トラックピッチが５μｍ以下、最短波長記録波長が０．３μｍ以下である磁気記録再生装置においては、記録・再生ヘッドの何れかに薄膜式ヘッドを用いて記録・再生効率を上げたヘッドと、薄膜式ヘッドに特性をあわせたメディアとの対応だけでは、前記効率の悪さをカバーできないことが問題となってきた。
【０００８】
図４において、（ａ）はヘッドアジマス向きとテープ長手方向（電磁変換特性の最適点ピーク方向）との角度θと、ＲＦ出力との関係を示し、（ｂ）は磁気テープ面上の１チャンネルおよび２チャンネルの磁気ヘッド（１ｃｈヘッド、２ｃｈヘッド）のアジマス角を示し、（ｃ）は（ａ）における角度θ1、θ2の定義を示し、（ｄ）は（ａ）における角度θの定義を示している。
【０００９】
図４において、ヘッドアジマス（図中破線で示す基準線（ここではヘッド走行方向に直交する直交線）に対する傾き角）を２５°、テープ長手方向とヘッド走行方向とのなす角度を１５°とした場合、１チャンネルの磁気ヘッド（１ｃｈヘッド）のアジマス向きとテープ長手方向とのなす角度θ1は１０°であり、２チャンネルの磁気ヘッド（２ｃｈヘッド）のアジマス向きとテープ長手方向とのなす角度θ2は１４０°となっている。
【００１０】
このため前記１ｃｈヘッドと２ｃｈヘッドのＲＦ出力には大幅なレベル差があり、非常にアンバランスである。
【００１１】
本発明は上記の点に鑑みてなされたものでその目的は、蒸着テープを用い、アジマス記録が行われる、トラックピッチが５μｍ以下、最短波長記録波長が０．３μｍ以下である磁気記録再生装置において、電磁変換のロスを軽減しつつ、２つの磁気ヘッド間の出力差を少なくすることにある。
【課題を解決するための手段】
【００１２】
上記目的を達成するために本発明の磁気記録再生装置は、第１の磁気ヘッドおよび第２の磁気ヘッドを構成する記録・再生ヘッドの何れかに薄膜式ヘッドを用い、斜方蒸着の磁気テープにアジマス記録を行うトラックピッチが５μｍ以下、最短波長記録波長が０．３μｍ以下である磁気記録再生装置において、前記第１および第２の磁気ヘッドの各ヘッドアジマス向きと前記磁気テープの長手方向とのなす角度が、前記第１の磁気ヘッドで記録されたトラックの再生信号と第２の磁気ヘッドで記録されたトラックの再生信号の出力差が３デシベル以内となる角度に各々設定されていることを特徴としている。
【００１３】
また前記第１および第２の磁気ヘッドの各ヘッドアジマスの角度は、前記磁気テープの長手方向に直交する直交線に対して±５〜３０°の範囲内に設定されていることを特徴としている。
【００１４】
また前記直交線に対する第１の磁気ヘッドのヘッドアジマスの角度の絶対値と、前記直交線に対する第２の磁気ヘッドのヘッドアジマスの角度の絶対値との差は１０°以内に設定されていることを特徴としている。
【発明の効果】
【００１５】
（１）斜方蒸着テープを用いたヘリカルスキャンドライブ方式の磁気記録再生装置において、チャンネル間の電磁変換のロスを軽減しつつ、１チャンネルと２チャンネル間の出力のバランスをとることができる。これによって、より記録密度をあげ、ＲＦ出力のマージンを得ることができるようになる。
【発明を実施するための最良の形態】
【００１６】
以下図面を参照しながら本発明の一実施例を詳細に説明するが、本発明はこの実施例に限定されるものではないことはいうまでもない。本実施例における磁気記録再生装置は、第１の磁気ヘッドおよび第２の磁気ヘッドを構成する記録・再生ヘッドの何れかに薄膜式ヘッドを用い、斜方蒸着の磁気テープにアジマス記録を行うトラックピッチが５μｍ以下、最短波長記録波長が０．３μｍ以下である磁気記録再生装置に適用している。
【００１７】
斜方蒸着テープは、記録密度の高密度化に最適であるものの、図１に示すようにテープの長手方向に電磁変換特性の最適点ピークがある。また、ヘッドアジマス向きθとＲＦ出力には、ＲＦ出力＝ｆ（θ＋π×ｎ）、ｎ＝０、±１、±２、±３・・・の関係がある。
【００１８】
ヘリカルスキャンテープドライブシステムにおいて、ヘッドスキャン走行方向は、図４（ｂ）に示すようにテープ長手方向に対して傾いているので、２個組のトラックを用いたアジマス記録システムでは、一方のヘッドでは電磁変換特性の最適方向に近い向きにヘッドアジマスは傾くものの、他方のヘッドのアジマスは、電磁変換特性が落ちる向きで使用していた。
【００１９】
これを改善するため本発明では、ヘッドのアジマスをつける向きの中心を、ヘッドスキャン走行方向に対してではなく、図１（ｂ）のようにテープ長手方向（電磁変換特性の最適点ピーク方向）とし、この方向から図２（ｂ）のようにより均等につけるものである。
【００２０】
図１は本発明の概念を表すもので、（ａ）はヘッドアジマス向きとテープ長手方向（電磁変換特性の最適点ピーク方向）との角度θと、ＲＦ出力との関係を示し、（ｂ）は（ａ）における角度θの定義を示している。
【００２１】
図２は本発明の具体的な一実施例を表し、（ａ）はヘッドアジマス向きとテープ長手方向（電磁変換特性の最適点ピーク方向）との角度θと、ＲＦ出力との関係を示し、（ｂ）は磁気テープ面上の１チャンネルおよび２チャンネルの磁気ヘッド（１ｃｈヘッド、２ｃｈヘッド）のアジマス角を示し、（ｃ）は（ａ）における角度θ1、θ2の定義を示している。
図２は１チャンネルおよび２チャンネルの磁気ヘッド（１ｃｈヘッド、２ｃｈヘッド）のアジマス（図２（ｂ）中破線で示す基準線（ここではテープ走行方向に直交する直交線）に対する傾き角）を、１ｃｈ：１０°、２ｃｈ：４０°としており、１チャンネルの磁気ヘッド（１ｃｈヘッド）のアジマス向きとテープ長手方向とのなす角度θ1は１５５°であり、２チャンネルの磁気ヘッド（２ｃｈヘッド）のアジマス向きとテープ長手方向とのなす角度θ2は２５°となっている（図２（ａ），（ｃ））。
【００２２】
このため前記１ｃｈヘッドと２ｃｈヘッドのＲＦ出力は等しくなり、バランスがとれている。したがって本実施例によれば、電磁変換のロスを軽減しつつ、１チャンネルと２チャンネル間の出力のバランスをとることができ、その結果、より記録密度をあげ、ＲＦ出力のマージンを得ることができるようになった。
【００２３】
尚本発明では、前記角度θ1、θ2を、前記１ｃｈヘッドと２ｃｈヘッドのＲＦ出力差が３ｄＢ以内となる角度に各々設定するものである。
【００２４】
また前記１ｃｈヘッド、２ｃｈヘッドの各ヘッドアジマスは、磁気テープの長手方向に直交する直交線（図２（ｃ）の破線）に対して±５〜３０°の範囲内に設定するものである。
【００２５】
また前記直交線に対する１ｃｈヘッドのヘッドアジマスの角度の絶対値と、前記直交線に対する２ｃｈヘッドのヘッドアジマスの角度の絶対値との差は１０°以内に設定するものである。
【００２６】
尚図３は、ヘッド走行方向とテープ長手方向のなす角度が１５°、テープ長手方向に対するヘッドアジマス向きが２５°の場合の１ｃｈヘッドと２ｃｈヘッドの配置関係を示している。
【図面の簡単な説明】
【００２７】
【図１】本発明の概念を表し、（ａ）はヘッドアジマス向きとテープ長手方向との角度θとＲＦ出力との関係を示す説明図、（ｂ）は（ａ）における角度θの定義を示す説明図。
【図２】本発明の実施例を表し、（ａ）はヘッドアジマス向きとテープ長手方向（電磁変換特性の最適点ピーク方向）との角度θと、ＲＦ出力との関係を示す特性図、（ｂ）は磁気テープ面上の１チャンネルおよび２チャンネルの磁気ヘッド（１ｃｈヘッド、２ｃｈヘッド）のアジマス角を示す説明図、（ｃ）は（ａ）の角度θ1、θ2の定義を示す説明図。
【図３】本発明の実施例を表す、テープ面上の磁気ヘッドのアジマス向きを示す説明図。
【図４】従来のアジマス記録方式を表し、（ａ）はヘッドアジマス向きとテープ長手方向との角度θと、ＲＦ出力との関係を示す特性図、（ｂ）は磁気テープ面上の１チャンネルおよび２チャンネルの磁気ヘッド（１ｃｈヘッド、２ｃｈヘッド）のアジマス向きを示す説明図、（ｃ）は（ａ）における角度θ1、θ2の定義を示す説明図、（ｄ）は（ａ）における角度θの定義を示す説明図。
【図１】
2005129201.tif 000003
【図２】
2005129201.tif 000004
【図３】
2005129201.tif 000005
【図４】
2005129201.tif 000006